(57)【特許請求の範囲】
【請求項１】
壁等の取付け面に含まれた供給配管に連結される壁付け用の自動水栓であって、水栓本体と供給配管との間を連通接続する接続部材に電動駆動弁を備えてなる壁付け用自動水栓において、
水栓本体を給水配管及び給湯配管に接続される湯水混合水栓とし、給水配管及び給湯配管のそれぞれと水栓本体とを接続する水用及び湯用の接続部材のそれぞれに電動駆動弁を備えてなる壁付け用自動水栓。
【請求項２】
壁等の取付け面に含まれた供給配管に連結される壁付け用の自動水栓であって、水栓本体と供給配管との間を連通接続する接続部材に電動駆動弁を備えてなる壁付け用自動水栓において、
接続部材は、その一端側の背面を配管との接続部とするとともに他端側の前面を水栓本体との接続部とした脚管状とし、電動駆動弁を管軸方向の端部に配置するとともにその突き出し方向を管軸とほぼ一致させてなる壁付け用自動水栓。
【請求項３】
脚管状の接続部材には、配管との接続側に止水栓を設けるとともに水栓本体との接続側に電動駆動弁を配置してなる請求項２記載の壁付け用自動水栓。
【請求項４】
脚管状の接続部材は、管軸と交叉する断面を２分割して配管側及び水栓本体側のそれぞれに連通する流路を区画し、管軸方向の端部であってこれらの流路が合流する部分に電動駆動弁を配置してなる請求項２または３記載の壁付け用自動水栓。
【請求項５】
壁等の取付け面に含まれた供給配管に連結される壁付け用の自動水栓であって、水栓本体と供給配管との間を連通接続する接続部材に電動駆動弁を備えてなる壁付け用自動水栓において、
接続部材は、その一端側の背面を配管との接続部とするとともに他端側の前面を水栓本体との接続部とした脚管と、水栓本体との接続部に連結した継手とを備え、この継手に電動駆動弁を備えてなる壁付け用自動水栓。
【請求項６】
水栓本体を給水配管及び給湯配管に接続される湯水混合水栓とし、給水配管及び給湯配管のそれぞれと水栓本体とを接続する水用及び湯用の接続部材のそれぞれに電動駆動弁を備えてなる請求項２または５記載の壁付け用自動水栓。
【請求項７】
供給配管との接続端と水栓本体との接続端との間に電動駆動弁をバイパスする流路を形成し、このバイパスする流路の基端に手動操作式の開閉弁を備えてなる請求項１、２、５または６記載の壁付け用自動水栓。
【発明の詳細な説明】
【０００１】
【発明の属する技術分野】
本発明は、たとえば壁中の配管に接続して固定される壁固定タイプの水栓に係り、特に電動駆動弁によって流路の開閉操作を可能とした壁付け用自動水栓に関する。
【０００２】
【従来の技術】
たとえばキッチン用のキャビネットに設備される自動水栓として、カウンターのデッキ上に底面を載せて固定するデッキタイプのものや、壁中の配管に接続固定する壁付けタイプのものが従来から利用されている。そして、吐水及び止水の自動操作は、たとえばキャビネットの正面の底部分に組み込んだフットスイッチを利用したり、自動水栓のスパウトの先端に設けたセンサによって人の手の感知・不感知に基づいて吐水・止水の操作を可能とするものがある。
【０００３】
デッキタイプの自動水栓では、その供給配管をキャビネット中に組み込めるので電磁弁をこの配管中に備えることで水栓本体自身には自動操作のための開閉弁は不要であり、流量及び温度調節のための操作ハンドルを備えるだけで済む。そして、センサを備えるものにおいても、このようなデッキタイプであれば同様に配管中の開閉弁の動作によって自動的な吐水と止水とが可能である。
【０００４】
【発明が解決しようとする課題】
一方、壁付けタイプのものでは給水や給湯のための配管が建屋の壁中に組み込まれているので、この既設の配管中には電磁弁等を設置することは施工面での障害が大きい。このため、壁付けタイプの湯水混合水栓を自動水栓化するには、水栓本体に開閉用の電磁弁を組み込んでこれをフットスイッチによって操作するか、スパウトの先端にセンサを設けると共に開閉弁を内蔵させて自動吐水及び止水の操作ができるものとしなければならない。
【０００５】
ところが、壁付けタイプの水栓では水栓本体の背面に設けた接続用の脚管によって建屋側の配管に連結するので、この脚管が水栓本体と壁との間に位置することから、壁面から水栓本体の前側への突き出しが一般に大きい。このため、電磁弁等のユニットを脚管と水栓本体との間に組み込むようにすると、突き出し長さが更に大きくなり、シンク等を使っての作業がし難くなる。
【０００６】
また、スパウトの先端側に電磁弁等を設けるものでは、水栓本体の内部のほぼ全体が一次側の流路によって占められることになり、高い給水圧に耐え得る構造とする必要がある。このため、一般的な水栓仕様のものが適用できなくなり、各部品の標準化ができないという問題がある。
【０００７】
更に、脚管と水栓本体との間に電磁弁等のユニットを設けたりスパウトの先端に電磁弁を組み込むようにすると、壁中の配管との接続部分との距離が長いことからこれらの電磁弁等を含む部品によるモーメントも大きくなる。このため、脚管自身及び壁側の強度も大きくして対応することになり、脚管を特殊仕様としたり壁に対する補強工事等が必要となる。
【０００８】
このように、デッキタイプの水栓については自動水栓化するのに比較的障害がないものの、壁付けタイプの場合ではその施工面から部品の特殊化対応までを含む問題がある。
【０００９】
本発明において解決すべき課題は、壁等の取付け面からの突き出しが短くてしかも通常の仕様の水栓本体でもそのまま利用できる壁付け用自動水栓を提供することにある。
【００１０】
【課題を解決するための手段】
本発明は、壁等の取付け面に含まれた供給配管に連結される壁付け用の自動水栓であって、水栓本体と供給配管との間を連通接続する接続部材に電動駆動弁を備えてなる壁付け用自動水栓において、水栓本体を給水配管及び給湯配管に接続される湯水混合水栓とし、給水配管及び給湯配管のそれぞれと水栓本体とを接続する水用及び湯用の接続部材のそれぞれに電動駆動弁を備えてなることを特徴とする。
【００１１】
このような構成では、水栓本体を配管に接続するのに必要な接続部材を利用して電動駆動弁を組み込むので、接続部材を水栓本体の背部に配管する場合でも、水栓本体の壁等の取付け面からの突き出しが小さくなる。
【００１２】
【発明の実施の形態】
本発明においては、供給配管との接続端と水栓本体との接続端との間に電動駆動弁をバイパスする流路を形成し、このバイパスする流路の基端に手動操作式の開閉弁を備えるようにしてもよく、電動駆動弁が作動しないときでもこの開閉弁を手動で開くことによって水栓本体への給水が可能となる。
【００１３】
また、水栓本体を給水配管及び給湯配管に接続される湯水混合水栓とし、給水配管及び給湯配管のそれぞれと水栓本体とを接続する水用及び湯用の接続部材のそれぞれに電動駆動弁を備えたものとすることができる。
【００１４】
この構成においても、水用及び湯用の接続部材のそれぞれに電動駆動弁を組み込むので、同様に前側への突き出しを抑えることが可能となる。
【００１５】
また、接続部材は、その一端側の背面を配管との接続部とするとともに他端側の前面を水栓本体との接続部とした脚管状とし、電動駆動弁を管軸方向の端部に配置するとともにその突き出し方向を管軸とほぼ一致させたものとし、更に脚管状の接続部材には、配管との接続側に止水栓を設けるとともに水栓本体との接続側に電動駆動弁を配置したものとしてもよい。
【００１６】
この場合では、電動駆動弁が水栓本体側に張り出さない組み立てとなるので、水栓本体の配管接続が容易になるほか、止水栓を設けたものではこれを閉じて止水させることで下流に位置している電動駆動弁の交換等が可能となる。
【００１７】
更に、脚管状の接続部材は、管軸と交叉する断面を２分割して配管側及び水栓本体側のそれぞれに連通する流路を区画し、管軸方向の端部であってこれらの流路が合流する部分に電動駆動弁を配置したものとすることもできる。
【００１８】
このような構成において、区画された流路を左右または前後方向に分けるようにしても、脚管状の接続部材の奥行き方向の寸法を小さく抑えることができ、通常の配管用脚管を用いた場合と同様に水栓本体の前側への突き出しを小さくすることができる。
【００１９】
また、接続部材は、その一端側の背面を配管との接続部とするとともに他端側の前面を水栓本体との接続部とした脚管と、水栓本体との接続部に連結した継手とを備え、この継手に電動駆動弁を備えた構成としてもよい。
【００２０】
この場合では、脚管としては従来から使用されている湯水混合水栓用等の接続用脚管をそのまま用いることができる。
【００２１】
【実施例】
図１は本発明の壁付け用自動水栓の要部を分解して示す斜視であり、この実施例では図２に示すようにキッチン用のカウンターに取り付けた例を示す。
【００２２】
図２において、キャビネット５１の上端のカウンター５２にはそのシンク５２ａの奥側に立ち上げたバックガード５２ｂに湯水混合水栓１が固定され、この湯水混合水栓１は建屋の壁中に設けた給水及び給湯用の配管（図示せず）に流路を接続している。
【００２３】
湯水混合水栓１はカウンター５２の下端の蹴込板５２ｃに組み込んだフットスイッチ５３によって操作可能としたものであり、キャビネット５１の内部にはコントローラ５４を配置すると共にコード５５ａ，５５ｂによって湯水混合水栓１との間を結線している。コントローラ５４は、フットスイッチ５３を一度蹴ると湯水混合水栓１から吐水が開始され次にもう一度蹴ると止水させるような制御を実行するもので、フットスイッチ５３の蹴り方によって吐水と止水のパターンを様々に変えた使用を可能とするものである。
【００２４】
湯水混合水栓１は従来から一般的に使用されているシングルレバー式のものであり、図１に示すように、水栓本体２の背面には外周に雄ネジを刻んだ水用接続筒２ａ及び湯用接続筒２ｂを突き出すと共に、スパウト２ｃ及び操作用のレバー２ｄを備えたものである。この水栓本体２は、フットスイッチ５３を備えない設備にもそのまま適用できるものあって、水用及び湯用の接続筒２ａ，２ｂのそれぞれに建屋側の配管との間を連結するための脚管を接続することで施工することが可能である。
【００２５】
水用及び湯用の接続筒２ａ，２ｂにはそれぞれ水用接続部材３及び湯用接続部材４を連結し、これらの水用及び湯用の接続部材３，４によって建屋の配管に水栓本体２を連結する。水用及び湯用の接続部材３，４は共通部品であり、図３に水用接続部材３の縦断面図を示す。
【００２６】
水用接続部材３は建屋の配管に接続される脚管５とその一端側に連結した継手６とを備え、脚管５はたとえば図４に示す従来の湯水混合水栓６１の接続に使用する脚管６２をそのまま用いたものである。
【００２７】
脚管５はその一端に背部側に突き出して外周に雄ネジを形成した接続筒５ａを設け、これを建屋中の配管のソケットに螺合することによって接続され、この接続筒５ａと同軸配置として止水栓５ｂを前面から操作可能としたものである。止水栓５ｂは、脚管５の前面に設けたブッシング５ｃにスピンドル５ｄを回転自在に挿入すると共にこのスピンドル５ｂには接続筒５ａ側の止水弁座５ｆに着座する弁体５ｅを設けたものである。そして、脚管５の他端側であってその前面には、継手６を連結するための袋ナット５ｇを設けている。
【００２８】
このような構成を持つ脚管５は図４に示した脚管６２と全く同じものであり、したがってごく普通に使用されている湯水混合水栓の脚管６２と共通の部品として組み込むことができ、部品の標準化が可能である。言い換えれば、継手６を外して袋ナット５ｇによって水用接続筒２ａにそのまま連結することができる。
【００２９】
継手６はその流出端側に水用接続筒２ａに連結するための袋ナット６ａを備え、内部流路には隔壁６ｂを形成してこの弁孔６ｃを開けると共にこの弁孔６ｃ周りであって上流側に臨む開口縁を弁座６ｄとしたものである。そして、弁孔６ｃと同軸上に手動操作用スピンドル６ｅを外部から回転操作できるように組み込み、更に弁座６ｄの上流側の流路に臨む位置には電磁弁７を配置する。
【００３０】
手動操作用スピンドル６ｅは継手６の下面側から螺合して回転操作できるようにしたものであり、これを図３において上に移動させると、上端部が電磁弁７の弁体７ａの下面に突き当たってこれを強制的に上昇させて弁座６ｄから引き離す。これにより弁孔６ｃを開くことができ、停電や電磁弁７の故障のときでも水栓本体２への給水が可能である。
【００３１】
電磁弁７はその弁体７ａをラッチングソレノイドによって弁座６ｄに対して開閉位置に駆動可能とした従来から一般に使用されている最も簡単なもので、フットスイッチ５３を蹴ったときのコントローラ５４からの信号に応じて開弁及び閉弁の動作を繰り返す構成としたものである。
【００３２】
一方、湯用継手部材４についても全く同様の構成であり、図１において水側と同じ符号で示す脚管５，継手６及び電磁弁７等を共通の部品として備えたものである。そして、電磁弁７の開閉動作は水用継手部材３側のそれと同じであり、フットスイッチ５３を最初に蹴ると水側及び湯側のそれぞれの電磁弁７は同時に開弁し、次に蹴ったときには同時に閉弁するという開閉動作を繰り返す。
【００３３】
なお、図１に示すように２個の電磁弁７を含んで隠すためのカバー１ａを備えることが好ましい。
【００３４】
以上の構成において、水側も湯側も電磁弁７が閉じているときには、建屋側の配管からの給水及び給湯はないため、湯水混合水栓１のレバー２ｄを操作しても給水や給湯はない。そして、フットスイッチ５３を蹴ると、コントローラ５４からの信号によって水側及び湯側の電磁弁７が同時に開弁して水及び湯が水栓本体２へ供給される。したがって、レバー２ｄを旋回及び上下に動かすことによって水と湯との量比及び流量を調節してスパウト２ｃから混合水を吐出することができる。
【００３５】
このような湯水混合水栓１では、レバー２ｄの姿勢を予め好適な混合水の温度及び流量となる姿勢に設定しておけば、後はフットスイッチ５３を蹴り続けていくだけで所望の混合水の吐出と停止とをレバー２ｄ操作することなく続けることができる。
【００３６】
ここで、電磁弁７は水栓本体２を建屋側の配管に接続連結するための水用及び湯用の接続部材３，４の一部として組み込まれるので、吐水と止水の自動操作に不可欠の電磁弁７をコンパクトにまとめて配置できる。そして、先にも述べたように、脚管５は通常の手動操作式の湯水混合水栓のものと共用できるので、部品の標準化によるコストダウウンが可能となる。
【００３７】
また、電磁弁７が故障したり停電したりしたときには、手動操作用スピンドル６ｅを回して弁体７ａを開く向きに移動させれば、水栓本体２内へ給水及び給湯されるので、湯水混合水栓１自身のレバー２ｄを操作して止水及び混合水の供給の操作が可能である。そして、電磁弁７が故障したときにこれを取り外したり交換したりするときには、その上流側にある止水栓５ｂによって流路を閉じるようにすれば電磁弁７の点検や修理が簡単に行える。
【００３８】
図５は水用及び湯用接続部材の別の例を示す要部の縦断面図であり、これは継手６を組み込むことなく脚管だけで電磁弁と水栓本体２への流路の接続を可能としたものである。なお、図示の接続部材は先の例と同様に水側及び湯側で共通に使えるようにしたものであり、水用接続部材として説明する。
【００３９】
水用接続部材８は建屋側の配管と水用接続筒２ａとを連結するための脚管９によって構成され、一端側には先の例と同様に接続筒９ａと同軸上に止水栓９ｂを組み込むと共に他端側の前面には水栓本体２の水用接続筒２ａに連結するための袋ナット９ｃを設けている。
【００４０】
脚管９の内部は隔壁９ｄによって区画されると共にこの隔壁９ｃの上端部には弁孔９ｅ及び弁座９ｆをそれぞれ形成し、この弁座９ｆに着座可能な弁体１０ａを備えた電磁弁１０を脚管９の端部に固定する。この電磁弁１０も先の例と同様にコントローラ５４からの信号によって弁体１０ａを弁座９ｅに対して開閉動作させることにより、水栓本体２への給水及び止水を可能としたものである。
【００４１】
また、停電や電磁弁１０の故障に備えて手動操作式の開閉弁１１を設ける。この開閉弁１１は、隔壁９ｄに開けたバイパス流路としての弁孔１１ａの開口縁周りに着座可能な弁体１１ｂを一端に設けたスピンドル１１ｃを脚９の前面側から回動操作できるようにしたものである。そして、スピンドル１１ｃを回して図において左側に移動させて弁孔１１ａを開くと接続筒９ａ側の流路を水用接続筒２ａ側に直結することができ、電磁弁１０が閉じているときでも水栓本体２への給水が可能である。したがって、電磁弁１０が故障したり停電したりしても、この開閉弁１１を開くだけで水栓本体２への給水が可能となる。なお、湯側の接続部材についても全く同様の構成とすることで、水栓本体２への給湯を確保することができる。
【００４２】
このような脚管９及び電磁弁１０を備える水用接続部材８と同様のものとして湯側にも湯用接続部材を連結する。すなわち、図１に示した水用及び湯用の接続部材３，４に代えて、水用接続部材８及びこれと同じ部材を湯用として接続するようにすれば、先の例に比べるとほぼ継手６が占めていた嵩の分だけ水栓本体２の前側への突き出しが短い配管とすることができる。
【００４３】
このように一つの脚管９に電磁弁１０を組み込む構成とすることで、水栓本体２の突き出しが抑えられるので、シンク５２ａでの洗い物作業に水栓本体２が邪魔にならない。また、脚管９の接続筒９ａと建屋側の配管との接続部分と水栓本体２までの距離も短くなるので、この接続部分での脚管９を含む水栓本体２の荷重のモーメントも小さくできる。このため、脚管９の強度や配管の締付け度も従来品と変わることがないほか、配管及びバックガード５２ｂまたは壁等の補強も不要となる。
【００４４】
図６は以上の各例において示した止水栓に代えて電磁弁を組み込む構成としたものであり、水用の接続部材として説明する。
【００４５】
水用接続部材１２を構成する脚管１３は、図３において示した脚管５と外形はほぼ同様であり、接続筒１３ａと袋ナット１３ｂとを流路の入側及び出側に備えている。そして、内部は隔壁１３ｃによって区画すると共にこの隔壁１３ｃが脚管１３の下端に位置する部分に弁座１３ｄを形成し、この弁座１３ｄに着座する弁体１４ａを設けた電磁弁１４を脚管１３の下端の前面に連結している。また、図５の例と同様に、隔壁１３ｃには弁孔１３ｅをバイパス流路として開けると共にこの弁孔１３ｅを開閉可能な手動操作式の開閉弁１５を設ける。
【００４６】
この例では電磁弁１４が先の例における止水栓としても兼用することができるほか、電磁弁１４は脚管１３の前面に連結されるので、たとえば図４で示した脚管６２の下端部の形状を少し変更したもので代用できる。すなわち、電磁弁１４だけが前に突き出るのみで、脚管１３は従来のものと同様の嵩に抑えられ、壁からの突き出しを小さくすることができる。
【００４７】
更に、図７の例は水用接続部材１６を形成する脚管１７を直管状としたものである。
【００４８】
脚管１７は接続筒１７ａを一端側に及び他端側には水栓本体への接続のための袋ナット１７ｂを備え、上流側から順に止水栓１８及び電磁弁１９を配置したものである。止水栓１８は弁孔１７ｂ周りに着座する弁体１８ａをスピンドル１８ｂの回動操作に移動させる構成としたものであり、電磁弁１９も先の例と同様にその弁体１９ａを弁座１７ｂに着座可能に配置したものである。そして、脚管１７の下面には弁体１９ａを押し上げるためのスピンドル１７ｃを備えることにより、図３の例と同様に停電や電磁弁１９の故障のときにこのスピンドル１７ｃを回すことで弁体１９ａを開弁操作できるようにしている。
【００４９】
このように脚管１７を直管状としたものでは、湯水混合水栓への接続よりも図８に示すように単水栓２０への適用が容易である。すなわち、湯水混合水栓では、水側と湯側の配管位置の誤差を吸収できように水栓本体との間で２本の脚管をクランク機構として利用することができるが、単水栓２０であれば建屋側の配管と同軸上で接続してそのまま使えるので、図７に示した脚管１７を有効に利用できる。
【００５０】
【発明の効果】
本発明では、配管側と水栓本体側とを接続する接続部材に流路を開閉させるための電磁弁等の電動駆動弁を組み込むので、水栓本体は一般的な仕様のものをそのまま使うことができ、水栓本体の汎用性が向上する。そして、電動駆動弁をバイパスする流路を開閉する手動操作式の開閉弁を備えるものでは、電動駆動弁が故障したり停電したりしたときでも、開閉弁を開くことによって水栓本体への給水が可能であり、使い勝手への影響は全くなくなる。
【００５１】
また、接続部材の前後方向の寸法を従来の湯水混合水栓用等の配管用脚管と同じ程度としたり電動駆動弁を脚管状の接続部材の管軸方向の端部に配置させることによって、接続部材の全体の前後方向の嵩を抑えることができ、これによって水栓本体の前側への突き出しを小さくすることができ、洗い物作業に水栓本体が干渉しない設備が得られる。
【００５２】
更に、配管側との接続部分に近い位置に電動駆動弁が配置されるので、水栓本体の重量も含めて接続部分に加わる負荷も小さくなり、従来から使用されている脚管をそのまま用いたり取付け面に補強等を施したりすることが不要となる。
【図面の簡単な説明】
【図１】本発明の壁付き自動水栓の要部を分解して示す斜視図である。
【図２】水栓本体をキッチンキャビネットのカウンターに備えた例を示す正面図である。
【図３】電磁弁を備えた水用接続部材の要部を示す縦断面図である。
【図４】図１に示した脚管が通常に用いられているものと同じであることを示すための湯水混合水栓の斜視図である。
【図５】脚管と電磁弁とによって接続部材を構成した例を示す要部の縦断面図である。
【図６】止水栓に代えて電磁弁を組み込んだ接続部材の例を示す要部の縦断面図である。
【図７】直管状の接続部材とした例を示す要部の縦断面図である。
【図８】図７の脚管を単水栓に接続した例を示す縦断面図である。
【符号の説明】
１  ：湯水混合水栓
２  ：水栓本体
２ａ：水用接続筒
２ｂ：湯用接続筒
２ｃ：スパウト
２ｄ：レバー
３  ：水用接続部材
４  ：湯用接続部材
５  ：脚管
５ｂ：止水栓
６  ：継手
６ｂ：隔壁
６ｃ：弁孔
６ｄ：弁座
７  ：電磁弁
７ａ：弁体
８  ：水用接続部材
９  ：脚管
９ｂ：止水栓
１０  ：電磁弁
１０ａ：弁体
１１  ：開閉弁
１２  ：水用接続部材
１３  ：脚管
１４  ：電磁弁
１５  ：開閉弁
１６  ：水用接続部材
１７  ：脚管
１８  ：開閉弁
１９  ：電磁弁
２０  ：単水栓
５２ｂ：バックガード
５３  ：フットスイッチ
５４  ：コントローラ
【図１】
0003565385.tif 000002
【図２】
0003565385.tif 000003
【図３】
0003565385.tif 000004
【図４】
0003565385.tif 000005
【図５】
0003565385.tif 000006
【図６】
0003565385.tif 000007
【図７】
0003565385.tif 000008
【図８】
0003565385.tif 000009